(57)【要約】【課題】歩行中、静止中にあっても、足指の運動を促し、強化する機能を有する履き物を提供する。【解決手段】サンダル、靴などの履き物の足指つけ根部１１に対応する部位に、足指つけ根部１１に沿って湾曲した段部８を設け、つま先部９を高く上げることにより生じた路面１２との空間に、適度な軟度と弾力を有する段部８と、段部８から甲部４にかけて設けた蛇腹状のクッション部５により、甲部４が伸縮し、つま先部９が自在に上下し、歩行中においては着地して踏み出す毎に段部８を中心に履物底部１が屈曲し、足指は静止中、歩行中にかかわらず運動し強化されることを特徴とする。【選択図】図１
2018175809.tif 000002
【特許請求の範囲】
【請求項１】
靴、サンダル、スリッパ等の履物底部（１）の足指つけ根部（１１）に対応する部位に、足指つけ根部（１１）に沿って湾曲した傾斜体の段部（８）を設けることにより，前方に接続するつま先部（９）を高くし路面との間に空間を生じることを特徴とする足指運動機能付履物。
【請求項２】
請求項１に記載する段部（８）から前方に接続する、つま先部（９）全体が路面から離れて高くなり、路面との間に生じた空間を利用して、つま先部（９）が上下することを特徴とする足指運動機能付履物。
【請求項３】
請求項１、２に記載する段部（８）により、つま先部（９）の上面は、水平より高くなり足指に負荷をかけることを特徴とする足指運動機能付履物。
【請求項４】
請求項１、２に記載するつま先部（９）の上下に、履物底部（１）が厚く段部（８）による、つま先部（９）への屈曲に支障となる場合は、段部の厚さ（１３）を変えることにより、つま先部（９）の上下に適した軟度及び弾力に調整することを特徴とする足指運動機能付履物。
【請求項５】
請求項１〜３に記載する、つま先部（９）の上下運動をさらに容易にするために段部（８）から甲部（４）にかけて、クッション部（５）を設置し、甲部（５）が伸縮することを特徴とする足指運動機能付履物。
【請求項６】
請求項４に記載するクッション部（５）は、甲部（４）が伸縮することを目的としたもので，その構造は伸縮性の材料、メッシュ等多岐にわたることを特徴とする足指運動機能付履物。
【発明の詳細な説明】
【技術分野】
【０００１】  本発明は、足指の上下運動を促進し、足指力を強化する機能を有する、サンダル、スリッパ、靴等の各種履物に関する。
【背景技術】
【０００２】  履物が草履から靴、サンダル、スリッパなどに移行してから、足指の運動量は減少し、それに伴い足指の筋力も弱くなり、躓きや転倒の原因にもなっており、これに対応した技術文献として、特許文献１、つま先アップ履物には、靴底のつま先部の側に設けたトウスプリング部の高さが２５ｍｍ以上７０ｍｍ以下の範囲と記載されている。
特許文献２、つま先運動具付き靴には、靴底部、つま先部の上面に、凹所を形成し、この凹所にその上面がつま先部先端に向かってわずかに高くなるような弾性部材を埋設することが記載されている。
特許文献３、履物には、履き物底部の前端部に足の指先が下方へ屈曲しうる空隙部が設けられ、指先を屈曲する際に、弾性変形する弾性部材が設けられていることが記載されている。
特許文献４、靴の中敷きには、中敷き本体のつま先部に弾性を有し、先方に向かうに従い高さが次第に高くなる傾斜体が設けられていることが記載されている。
【先行技術文献】
【特許文献】
【０００３】
【特許文献１】実用新案登録３２０１５２５号公報
【特許文献２】特開２０００−２９６００３号公報
【特許文献３】特開２００６−２３０８０２号公報
【特許文献４】特開２０１０−２８４２１２号公報
【発明の概要】
【発明が解決しようとする課題】
【０００４】  しかしながら先行技術文献において、いずれも履物自体のつま先部が上下しながら足指の運動を促進する機能を有しているものは無く、足指を強化する目標を満たしているとは考えられない。
本発明は，このような背景の中で、履物により足指の運動を促し、強化することを目的とした履物を提供することにある。
【課題を解決するための手段】
【０００５】  履き物底部の足指つけ根部に対応する部位に、足指のつけ根部に沿って湾曲した傾斜体の段部を設け、前方に接続するつま先部全域が高くなる構造とし、履物底部は段部からつま先部にかけて路面から高く上がり離れた状態に設け、履物底部の段部からつま先部にかけて足指の運動を促す部位は、適度な軟度及び弾力を有し、さらに履物底部の上下運動を容易にするため、履物甲部にクッション部を設け甲部が伸縮する構造とする。
以上の構造により、本発明の履物のつま先部は自在に上下し、履き物底部は段部を中心に屈曲する。
【発明の効果】
【０００６】  これにより履物を履いて静止した状態で、足指は路面より高い位置にあるが、本人の意思で容易に路面に押し下げたり、上下することができる。
また歩行時においては、着地して踏み出す毎に段部を中心に履物底部が屈曲し、それに伴い足指も同様の動作をする。
以上のように、従来の履物と比較し足指の運動量が、著しく増大され足指の筋力が鍛錬され強化されるものである。
【図面の簡単な説明】
【０００７】
【図１】  本発明のサンダルを履いた状態の側面図。
【図２】  本発明の靴を履いた状態の断面図。
【図３】  本発明の靴の斜視図。
【図４】  本発明の靴の平面図及び、靴、サンダル等の底平面図。
【図５】  本発明のつま先部、段部の断面図。
【図６】  本発明のつま先部が着地した状態の断面図。
【図７】  本発明の歩行中、つま先部で体重を前方に押し進める状態の断面図。
【図８】  本発明の図５の形態での足指の側面図。
【図９】  本発明の図６の形態での足指の側面図。
【図１０】  本発明の図７の形態での足指の側面図。
【発明を実施するための形態】
【０００８】  以下、本発明を実施するための形態を図面に基づいて説明する。ここで本発明による履物とは履き物類の総称を指すものである。
図１は、本発明のサンダルを履いた状態の側面図で、段部（８）つま先部（９）、クッション部（５）を示したものである。
図２は、本発明の靴を履いた状態の断面図で図１同様、段部（８）、つま先部（９）、クッション部（５）を示したものある。
【０００９】  図１，図２とも、履物底部（１）の足指のつけ根部（１１）に対応する部位に、足指のつけ根部（１１）に沿って湾曲した、傾斜体の段部（８）を設け、前方に接続するつま先部（９）全体を高くし路面との間に空間を生じた形態である。
このため、履き物を履いた状態で足指が高く上がっていることにより、足指に負荷がかかる状態になるが、つま先部（９）は自在に上下するため足指に負担になることも、履き心地に違和感を感じることもない。
【００１０】  靴、サンダル等にあって、履物底部（１）が厚くて、段部（８）によるつま先部（９）への屈曲に支障となる場合は、製造過程において段部の厚さ（１３）を薄く変えることにより、足指の力で、つま先部（９）は路面（１２）迄容易に押し下げることが出来るよう調整し、足指の力を抜いた場合、つま先部（９）は弾力により路面（１２）から離れ元の位置に戻る構造である。
さらに段部（８）による、つま先部（９）への屈曲を容易にするため、段部（８）の傾斜体の下端から、甲部（４）の上面にかけて、蛇腹状のクッション部（５）を設け、甲部（４）が伸縮するようにしたものである。
これにより、つま先部（９）が上下しやすくなり、履物を履いた静止状態で、段部（８）により高く上がっていた足指は容易に押し下げることができ、路面との空間を上下することにより足指の運動を誘発する。
【００１１】  図３は、靴の斜視図であり、甲部（４）に設置された蛇腹状のクッション部（５）を示したもので、つま先部（９）の上下を容易にするためのものである。
図４は、靴（３）及びサンダル（２）等、履物底部（１）の平面図であり、上段の靴（３）の平面図は履き物甲部（４）に設けた蛇腹状のクッション部（５）を示したものであり、下段の平面図は、靴、サンダル等の履物底部（１）に設けた、つま先部（９）及び足指のつけ根部（１１）に沿って湾曲した段部（８）の部位を示したものである。
図５はつま先部（９）から段部（８）にかけての断面図であり、つま先部（９）が、段部（８）により、路面から高く上がり、つま先部（９）が上下する空間を生じていることを示したものである。
又クッション部（５）は、つま先部（９）が、段部（８）の屈曲による上下をさらに容易にするため、段部（８）の傾斜体の下端から、甲部（４）の上面にかけて、蛇腹状のクッション体を設け、つま先部（９）の上下に伴い、甲部（４）が伸縮する状態を示したもので、その部位は図４に示した通りである。
又、つま先部（９）の上下に適した軟度及び弾力を有するため、段部の厚さ（１３）を変えることによりにより調整した状態を示したものである。
【００１２】  図６は、つま先部（９）の先端が着地した状態で、甲部（４）に設置されたクッション部（５）が伸びきった状態になったものである。
図７は、歩行中、つま先部（９）で体重を前方に押し出す状態の断面図で、履物底部（１）は、段部（８）と、つま先部（９）により大きく曲がり、甲部（４）に設置されたクッション部（５）は押しつぶされた状態となり、図６、図７により、クッション部（５）が、つま先部（９）の上下を助長していることを示したものである。
図８は、図５の形態での足指の状態で、足指が段部（８）により路面から高く上がり、路面との間に空間ができている状態を示したものである。
図９は、図６の形態での足指の状態で、歩行中又は静止中につま先部（９）が路面に着地したときに足指が水平になった状態を示したものである。
図１０は、図７の形態での足指の状態で、歩行中路面を踏み切るときに足指が大きく上方に曲がっている状態を示したものである。
本発明の履き物は、以上の構造により静止中、歩行中にかかわらず、自在に上下し又、屈曲するものである。
【００１３】  それに伴い、足指も同様の動きを成し、必然的に運動量が増加し鍛錬されるものである。
サンダル、スリッパなどを履いているだけで、屋内外での家事のかたわらにも、足指の筋力増加に大きな効果を成すものである。
足指力に衰えを感じ始める年代にあっても、本発明の履き物は、足指の運動量を倍加し、足指力の回復に大きな効果を成すものである。
幼年期、少年期等の成長過程において本発明の履き物で通園、通学することにより足指を強化することは、健全な身体を育成し、スポーツにおいても、成長後の活動にも貢献するものである。
屋内等で、足指の運動量が比較的少ない職場でも、本発明のサンダル、スリッパ、靴等の履き物は、足及び足指の運動を助長するものである。
【００１４】  本発明は、以上のような構造であり、特別な器具を使うことも、特別なトレーニングをすることもなく履き物を履いているだけで足指の強化を成し健康に寄与するものである。
【符号の説明】
【００１５】  １  履物底部        ２  サンダル        ３  靴                ４  甲部
５  クッション部    ６  底部表材        ７  中敷き            ８  段部
９  つま先部      １０  足指          １１  足指つけ根部    １２  路面
１３  段部の厚さ
【図１】
2018175809.tif 000003
【図２】
2018175809.tif 000004
【図３】
2018175809.tif 000005
【図４】
2018175809.tif 000006
【図５】
2018175809.tif 000007
【図６】
2018175809.tif 000008
【図７】
2018175809.tif 000009
【図８】
2018175809.tif 000010
【図９】
2018175809.tif 000011
【図１０】
2018175809.tif 000012